(57)【特許請求の範囲】
【請求項１】
止水リングは、硬質合成樹脂により結合するとリング状となる２つの半環状体と、該半環状体の内周壁面に装着固定されるゴムまたは軟質合成樹脂より成る止水部材とにより構成され、
前記各半環状体は、２枚の半環状平板の内周端縁を半環状壁板の外周上・下端縁部に連結固定すると共に、前記半環状平板と半環状壁板の両端に、それぞれ基部側結合端面と先方側結合端面が突設して形成され、且つ前記半環状壁板の外周面と各半環状平板の内側面に格子状に形成された補強用リブを固定し、前記各半環状平板の外側面中央部付近には、前記止水部材の外周縁部に当接する半環状突起が突設され、更に前記各半環状体は、前記各基部側結合端面の端縁が薄肉部を介して開閉自在に結合連結され、且つ一方の半環状体の先方側結合端面の上下部に間隔を有して直角に突設された突出片の先端に抜止め用の係止部を連設し、且つ他方の半環状体の先方側結合端面の上下部に間隔を有し、前記各係止部を挿入係止する開口部を穿設して第１の結合部が形成されると共に、一方の半環状体の基部側結合端面と先方側結合端面の内方上下部に間隔を有して小円穴をそれぞれ凹設し、且つ他方の半環状体の基部側結合端面と先方側結合端面の内方上下部に間隔を有して前記各小円穴に圧入密嵌する小突起をそれぞれ突設して第２の結合部が構成され、更に前記各半環状体の半環状壁板の内面中央円周方向に凹溝が形成され、且つ該各半環状体の各基部側結合端面に前記凹溝に連なる小凹溝がそれぞれ形成されると共に、前記薄肉部の中央に前記小凹溝に連なって貫通孔が形成され、且つ他方の半環状体の先方側結合端面の各開口部間に前記凹溝に連なる小凹溝を設けて形成され、
前記止水部材は、セパレータの円柱棒の内径とほぼ同一の内径を有する凹部と、該凹部の両側に断端縁部を有する２個の半筒状板の外周中央に前記各半環状体の凹溝に嵌合する嵌合突条がそれぞれ円周方向に突設されると共に、前記各半筒状板の外周上・下端縁部に、前記各半環状体の各半環状平板の外側面内周縁部にその内側面が当接し、且つ前記半環状体突起にその外周縁部が当接する当接突起をそれぞれ円周方向に突設する一方、前記当接突起の前記凹部に連なる内側縁部に、該凹部よりやや小径の半環状肉厚部が一体に形成され、更に各半筒状板の内側面の各断端縁部の中央に前記半環状体の各小凹溝に嵌合する小巾の嵌合片が前記各嵌合突条に連なって連設され、且つ該嵌合片の中央部は前記貫通孔に嵌合係止できるよう凹状の折曲部を備える一方、他方の半環状体の先方側結合端面の凹溝に嵌合する嵌合舌片が、他方の半筒状板の外側面において嵌合突条に連なって突設して形成されたことを特徴とする後付け止水リング。
【請求項２】
止水リングを構成するゴムが、水膨潤性ゴムである請求項１記載の後付け止水リング。
【発明の詳細な説明】
【０００１】
【発明の属する技術分野】
本発明は、型枠に取付けられたセパレータに後付けで取付けることができる後付け止水リングに関するものである。
【０００２】
【従来の技術】
従来、型枠を設置してコンクリート構造物を構築する際には、施工時においてコンクリート構造物外部、例えば地下工事を行う際の地中水、浄水場を建設する際の水槽の水等の水分がセパレータとコンクリートとの間に生じる間隙に進入し、セパレータとコンクリートとの間隙を水の流通経路としてコンクリート表面へ漏出することが問題となっている。この水分の漏れが生じると、コンクリート表面に付着した金属が腐食して変色しコンクリート構築物の美観が損なわれてしまう。
【０００３】
前記従来の課題を解決するための技術として、特開平９−２５６６３３号においてセパレータに対して後付け可能な止水板が開示されている。
【０００４】
【発明が解決しようとする課題】
しかしながら、前記特開平９−２５６６３３号に開示された止水板は、環状体が比較的柔らかいゴム素材により一体的に形成されているため、結合部を強く結合させることが難しく、施工時に結合部が外れてしまうという課題があり、更に環状体が水膨潤性ゴムの一体品で形成されていたため、水膨潤性ゴムが水分を吸収して膨潤した際に、止水板が全体的にねじれてセパレータと止水板との間に隙間が生じてしまうという課題があった。
【０００５】
本発明者は、前記課題を解決すべくなされたもので、セパレータへの後付けが可能で製造時の作業性を向上させて製造コストを低減することができ、保管性に優れると共に、コンクリート打設時における止水性に優れ、水漏れを確実に防止することができる後付け止水リングを提供しようとするものである。
【０００６】
【課題を解決するための手段】
本発明は、硬質合成樹脂により結合するとリング状となる２つの半環状体と、該半環状体の内周壁面に装着固定されるゴムまたは軟質合成樹脂より成る止水部材とにより構成され、
前記各半環状体は、２枚の半環状平板の内周端縁を半環状壁板の外周上・下端縁部に連結固定すると共に、前記半環状平板と半環状壁板の両端に、それぞれ基部側結合端面と先方側結合端面が突設して形成され、且つ前記半環状壁板の外周面と各半環状平板の内側面に格子状に形成された補強用リブを固定し、前記各半環状平板の外側面中央部付近には、前記止水部材の外周縁部に当接する半環状突起が突設され、更に前記各半環状体は、前記各基部側結合端面の端縁が薄肉部を介して開閉自在に結合連結され、且つ一方の半環状体の先方側結合端面の上下部に間隔を有して直角に突設された突出片の先端に抜止め用の係止部を連設し、且つ他方の半環状体の先方側結合端面の上下部に間隔を有し、前記各係止部を挿入係止する開口部を穿設して第１の結合部が形成されると共に、一方の半環状体の基部側結合端面と先方側結合端面の内方上下部に間隔を有して小円穴をそれぞれ凹設し、且つ他方の半環状体の基部側結合端面と先方側結合端面の内方上下部に間隔を有して前記各小円穴に圧入密嵌する小突起をそれぞれ突設して第２の結合部が構成され、更に前記各半環状体の半環状壁板の内面中央円周方向に凹溝が形成され、且つ該各半環状体の各基部側結合端面に前記凹溝に連なる小凹溝がそれぞれ形成されると共に、前記薄肉部の中央に前記小凹溝に連なって貫通孔が形成され、且つ他方の半環状体の先方側結合端面の各開口部間に前記凹溝に連なる小凹溝を設けて形成され、
前記止水部材は、セパレータの円柱棒の内径とほぼ同一の内径を有する凹部と、該凹部の両側に断端縁部を有する２個の半筒状板の外周中央に前記各半環状体の凹溝に嵌合する嵌合突条がそれぞれ円周方向に突設されると共に、前記各半筒状板の外周上・下端縁部に、前記各半環状体の各半環状平板の外側面内周縁部にその内側面が当接し、且つ前記半環状体突起にその外周縁部が当接する当接突起をそれぞれ円周方向に突設する一方、前記当接突起の前記凹部に連なる内側縁部に、該凹部よりやや小径の半環状肉厚部が一体に形成され、更に各半筒状板の内側面の各断端縁部の中央に前記半環状体の各小凹溝に嵌合する小巾の嵌合片が前記各嵌合突条に連なって連設され、且つ該嵌合片の中央部は前記貫通孔に嵌合係止できるよう凹状の折曲部を備える一方、他方の半環状体の先方側結合端面の凹溝に嵌合する嵌合舌片が、他方の半筒状板の外側面において嵌合突条に連なって突設して形成されるという手段を採用することにより、上記課題を解決した。
【０００７】
【発明の実施の形態】
本発明に係る後付け止水リングの実施の形態を図に基づいて詳細に説明する。図１は本発明に係る後付け止水リングを開いて示す斜視図、図２は同平面図、図３は図２の横断面図である。
【０００８】
本発明に係る止水リング１は、硬質合成樹脂により結合するとリング状となる２つの半環状体２と、該半環状体２の内周壁面に取付けられたゴムまたは軟質合成樹脂より成る止水部材３とにより構成されている。
【０００９】
本発明において、前記各半環状体２を構成する硬質合成樹脂は、特に限定する必要はないが、好ましくはポリプロピレン、ポリエチレン、ポリスチレン、ポリカーボネート、メタクリル樹脂、ポリアミド樹脂、ポリイミド樹脂、塩化ビニル樹脂、ＡＢＳ樹脂、アクリル樹脂等を用いることが推奨される。
【００１０】
前記各半環状体２は、２枚の半環状平板４の内周端縁を半環状壁板５の外周上・下端縁部にそれぞれ連結固定すると共に、前記半環状平板４と半環状壁板５の両端には、それぞれ基部側結合端面６と先方側結合端面７とが突設して形成され、更に前記半環状壁板５の外周面において、前記各半環状平板４の各対面する内側面間および前記基部側結合端面６と先方側結合端面７の各対面する内側面間には、該半環状平板４よりやや低い高さを有して格子状に形成された補強用リブ８が固定されている。また、前記各半環状平板４の各外側面の中央部付近には、前記止水部材３の外周縁部に当接して止水性を高める半環状突起９がそれぞれ突設されている。なお、該半環状突起９の内側壁面は内側方向へ傾斜した斜面９ａとすることが推奨される。
【００１１】
そして、前記各半環状体２は、各基部側結合端面６の端縁が薄肉部１０を介して開閉可能に接合連結され、且つ一方の半環状体２の先方側結合端面７の上下部に間隔を有して直角に突設された突出片１１の先端に抜止め用の係止部１２を連設し、且つ他方の半環状体２の先方側結合端面７の上下部に間隔を有して、前記各係止部１２を挿入係止する開口部１３を穿設して第１の結合部１４が構成されると共に、一方の半環状体２の基部側結合端面６と先方側結合端面７の内方上下部に間隔を有して小円穴１５をそれぞれ凹設し、且つ他方の半環状体２の基部側結合端面６と先方側結合端面７の内方上下部に間隔を有して、前記各小円穴１５に圧入密嵌する小突起１６をそれぞれ突設して第２の結合部１７が構成されている。
【００１２】
前記第１の結合部１４を構成する各突出片１１の先端には抜止め用の係止部１２がそれぞれ連設されており、該各突出片１１を前記各開口部１３に挿入した際には、この抜止め用の係止部１２が開口部１３の縁部に係止されると共に、前記第２の結合部１７を構成する各小突起１６が各小円穴１５内に圧入密嵌されて、各半環状体２は一体に結合固定されてリング状となる。そして、前記第１の結合部１４を介して各半環状体２を結合させると、抜止め用の係止部１２を強い力で内方向に押して突出片１１を相当量撓ませない限りは前記係止状態が外れることなく、各半環状体２の強固で確実な結合状態が得られる。
【００１３】
前記各半環状体２の半環状壁板５の内面中央円周方向には凹溝１８が形成され、且つ該各半環状体２の各基部側結合端面６に前記凹溝１８に連なる小凹溝１９がそれぞれ形成されると共に、前記薄肉部９の中央に前記小凹溝１９に連なって貫通孔２０が形成され、更に他方の半環状体２の先方側結合端面７の各開口部１３間に前記凹溝１８に連なる小凹溝２１が形成されている。
【００１４】
そして、前記各半環状体２に形成された凹溝１８、小凹溝１９・２１および貫通孔２０に止水部材３が挿着固定される。前記止水部材３は、ゴムまたは軟質合成樹脂により前記半環状体２の半環状壁板５の内周面に装着できるように形成されている。
【００１５】
前記止水部材３は、後述のセパレータ３１の円柱棒３３の内径とほぼ同一の内径を有する凹部２２と、該凹部２２の両側に断端縁部２３を有する２個の半筒状板２４の外周中央に、前記各半環状体２の凹溝１８に嵌合する嵌合突条２５がそれぞれ円周方向に突設されると共に、半筒状板２４の外周上・下端縁部に、前記各半環状体２の各半環状平板４の外側面内周縁部にその内側面が当接すると共に、前記半環状突起９にその外周縁部が当接する当接突起２６がそれぞれ円周方向に突設され、且つ前記当接突起２６の前記凹部２２に連なる内側縁部には、前記凹部２２よりはやや小径の半環状肉厚部２７が一体に形成され、更に各半筒状板２４の内側面の各断端縁部２３の中央に前記半環状体２の各小凹溝１９に嵌合する小巾の嵌合片２８が前記各嵌合突条２５に連なって連設され、且つ該嵌合片２８の中央部は前記貫通孔２０に嵌合係止できるよう凹状の折曲部２９を備える一方、他方の半環状体２の先方側結合端面７の小凹溝２１に嵌合する嵌合舌片３０が、他方の半筒状板２４の外側面において嵌合突条２５に連なって突設して形成されている。
【００１６】
前記止水部材３は、ゴムまたは軟質合成樹脂により形成されるが、その構成部材がゴムであるとき、クロロプレンゴム、スチレンブタジェンゴム等に高吸水性樹脂を含有させた水膨潤性ゴムが使用することが推奨される。
【００１７】
前記水膨潤性ゴムは、水分を含有したときに体積比で３〜８倍に膨潤するが、空気に含有される水分を吸収した程度では膨潤せず、コンクリート中ではコンクリートに含有される水分を吸収して膨張する。また、前記水膨潤性ゴムは、その他にも優れた耐候性、耐久性、耐熱性、圧縮還元性、衝撃吸収能を有し、物理的強度が高いといった特性を示している。
【００１８】
前記止水部材３を構成するゴムは、水膨潤性ゴムには必ずしも限定されず、天然ゴムや、シス−１、４−ポリイソプレン、シス−１、４−ポリブタジェン、スチレンブタジェンゴム（ＳＢＲ）、ブタジェンアクリロニトリルゴム（ＮＢＲ）等のブタジェン共重合物、クロロプレンゴム、イソブチレン・イソプレン共重合物、チオコール等の多硫化系合成ゴム、ポリエステルウレタン、ポリエーテルウレタン等のウレタンゴム、ポリジメチルシロキサン等の珪素ゴム、六フッ化プロピレン・フッ化ビニリデン共重合物等のフッ素ゴム、クロロスルホン化ポリエチレン、ポリアクリル酸エステル、アクリロニトリル共重合物、エチレンプロピレンゴム、ジシクロペンタジェン、１、４−ヘキサジェン、エチリデンノルボルネン等を硫黄加硫成型を容易にするために共重合したＥＰＴゴム等の各種ゴムがいずれも好適に使用できる。
【００１９】
また、前記止水部材３を構成するゴムの代りに軟質合成樹脂を使用してもよい。この場合、軟質合成樹脂の種類は、半環状体２を構成する軟質合成樹脂よりも硬度が低いものであれば特に限定はされず、シリコーン樹脂、塩化ビニル樹脂、フッ素樹脂、塩化ビニリデン樹脂等を好適な例として挙げることができる。
【００２０】
前記構成より成る止水部材３は、各半筒状板２４の外周に突設された各嵌合突条２５を各半環状体２の各凹溝１８にそれぞれ嵌合装着し、且つ各当接突起２６の内側面を各半環状平板４の外側面内周縁部に当接すると共に、前記各当接突起２６の外周縁部を半環状突起９の内側壁面に当接し、更に小巾の嵌合片２８を前記半環状体２の各小凹溝１９に嵌合すると共に、折曲部２９を貫通孔２０に嵌合係止し、且つ嵌合舌片３０を小凹溝２１に嵌合することにより、各半環状体２に装着固定して、止水リング１を形成する。
【００２１】
前記構成を有する止水リング１は、例えば図７に示すようにコンクリート打設用セパレータに取付けて使用する。セパレータ３１は、両端に螺条部３２が形成された金属製の円柱棒３３と、該円柱棒３３の中途部に取付けられた二つのカップ３４とから構成されており、止水リング１は各半環状体２を開いて円柱棒３３を差し入れた後、該半環状体２を閉じて結合固定することによってセパレータ３１に取付けられる。すなわち、図８に示すように各半環状体２で円柱棒３３を挟むようにして、前記薄肉部１０を介して前記各半環状体２を閉じて、該各半環状体２の各基部側結合端面６および各先方側結合端面７を圧着させて、第１の結合部１４の各突出片１１の先端の各係止部１２を各開口部１３に挿入係止すると共に、第２結合部１７の各小突起１６を各小円穴１５に圧入密嵌すると、前記各係止部１２により前記各突出片１１は各開口部１３より抜け去ることなく、各半環状体２は前記円柱棒３３を挟着して一体に固定されて、止水リング１はセパレータ３１に取付けられる。
【００２２】
図８に示すように、前記止水リング１がセパレータ３１に圧着して取付けられると、止水部材３の各半筒状板２４の両側に位置する各断端縁部２３が互いに圧着すると共に、嵌合片２８も２つ折りに重合され、且つ嵌合舌片３０が前記各突出部１１間の他方側結合端面７に圧着して、各半筒状板２４は密に重合固定され、更に前記各当接突起２６の外周縁部が各半環状突起９の内側壁面に当接すると共に、前記当接突起２６の内側縁部に設けられた凹部２２より小径の半環状肉厚部２７が円柱棒３３に強く圧着して止水効果が高められ、セパレータ３１の取付け部から水漏れすることがない。
【００２３】
そして、前記止水リング１およびセパレータ３１を使用したコンクリート構造物の構築方法の一例を図９に基づいて説明する。先ず、組立て構築された桟木３５の内壁に型枠３６を設置し、該型枠３６にセパレータ３１を設置する。そして、前記セパレータ３１の両端の螺条部３２にナット３７を取付け、前記型枠３６をセパレータ３１で固定する。次いで、２個の止水リング１をセパレータ３１の円柱棒３３の各カップ３４の近傍に前記した方法で取付け、型枠３６内にコンクリート３８を流し込む。そして、前記コンクリート３８が硬化すると、ナット３７をセパレータ３１の螺条部３２から取外し、その後に桟木３５および型枠３６を取外してコンクリートの構築作業を完了する。
【００２４】
前記止水リング１を構成する止水部材３の素材として水膨潤性ゴムを用いると、コンクリート３８を流し込んだ際に、該コンクリート３８に含有される水分によって水膨潤性ゴムが膨潤し、止水リング１の止水部材３と円柱棒３３との間隙を埋めるので、より確実に水分の流通経路を遮断することができる。更に、抜止め用の係止部１２によって第１の結合部１４が強固に保持されると共に、小突起１６および小円穴１５によって第２の結合部１７が前記第１の結合部１４の補助的な役目を果たすため、施工時に止水リング１が円柱棒３３から離脱する虞れがない。
【００２５】
なお、本発明に係る止水リング１の使用形態は図９のものには限定されず、ビルの壁面、天井、床、屋根等の構築、あるいはトンネル、上・下水道等の地下構造物等、種々のコンクリート構造物の構築に幅広く使用することが可能である。
【００２６】
【発明の効果】
本発明は上述のようであるから、止水リングは開閉可能な結合部を備えているので、コンクリート打設用セパレータへの後付けが可能であり、従ってセパレータの製造時の作業性を向上させ、製造コストを低減することができると共に、保管性に優れており、且つ止水リングは内周面にセパレータの円柱棒に密接して挟着するゴムまたは軟質合成樹脂製の止水部材が取付けられているため、セパレータ取付け部からの水漏れを確実に防止することができ、更に止水リングは一旦セパレータの円柱棒に取付けられると離脱する虞れはない。
【図面の簡単な説明】
【図１】本発明後付け止水リングを開いて示す斜視図である。
【図２】本発明後付け止水リングの平面図である。
【図３】図２の横断面図である。
【図４】本発明後付け止水リングを構成する各半環状体を開いて示す斜視図である。
【図５】本発明後付け止水リングを構成する止水部材の表面側斜視図である。
【図６】本発明後付け止水リングを構成する止水部材の背面側斜視図である。
【図７】本発明後付け止水リングをコンクリート打設用セパレータに取付けた状態を示す斜視図である。
【図８】本発明後付け止水リングをコンクリート打設用セパレータに取付けた状態を示す縦断面図である。
【図９】本発明後付け止水リングを使用したコンクリート構造物の構築方法の一例を示す部分断面図である。
【符号の説明】
１  止水リング、  ２  半環状体、  ３  止水部材、  ４  半環状平板、  ５  半環状壁板、  ６  基部側結合端面、  ７  先方側結合端面、  ８  補強用リブ、  ９  半環状突起、  ９ａ  斜面、  １０  薄肉部、  １１  突出片、  １２係止部、  １３  開口部、  １４  第１の結合部、  １５  小円穴、  １６  小突起、  １７  第２の結合部、  １８  凹溝、  １９  小凹溝、  ２０  貫通孔、  ２１  小凹溝、  ２２  凹部、  ２３  断端縁部、  ２４  半筒状板、  ２５  嵌合突条、  ２６  当接突起、  ２７  半環状肉厚部、  ２８  嵌合片、２９  折曲部、  ３０  嵌合舌片。
【図１】
0004312370.tif 000002
【図２】
0004312370.tif 000003
【図３】
0004312370.tif 000004
【図４】
0004312370.tif 000005
【図５】
0004312370.tif 000006
【図６】
0004312370.tif 000007
【図７】
0004312370.tif 000008
【図８】
0004312370.tif 000009
【図９】
0004312370.tif 000010